(57)【特許請求の範囲】
【請求項１】
全量に対し、質量％で、０．２〜１５％の範囲のアルミニウムと、０．３〜１０％の範囲のカルシウムと、０．０５〜１．５％の範囲のマンガンと、不可避的不純物とを含む鋳造用マグネシウム合金素材を形成する合金形成工程と、
前記鋳造用マグネシウム合金素材を鋳造して押出用マグネシウム合金素材を形成する鋳造工程と、
前記押出用マグネシウム合金素材を２５０〜５００℃の範囲の温度で、且つ押出比が３〜３０の範囲の押し出し加工を施して、鍛造用マグネシウム素材を形成する押出工程と、
前記鍛造用マグネシウム素材を鍛造して圧縮機能部材を成形する鍛造工程と
を備え、
前記押出用マグネシウム合金素材は、樹脂状晶のデンドライトアーム間隔が０．５〜１５μｍの範囲であり、結晶粒径が２００μｍ以下の範囲であることを特徴とする圧縮機能部材の製造方法。
【請求項２】
前記鍛造用マグネシウム合金素材は、結晶粒径が１０μｍ以下の範囲であることを特徴とする請求項１に記載の圧縮機能部材の製造方法。
【請求項３】
前記鍛造工程における鍛造は、前記鍛造用マグネシウム素材及び前記鍛造用マグネシウム素材の金型が２５０〜５００℃の範囲の温度で行われることを特徴とする請求項２に記載の圧縮機能部材の製造方法。
【請求項４】
全量に対し、質量％で、０．２〜１５％の範囲のアルミニウムと、０．３〜１０％の範囲のカルシウムと、０．０５〜１．５％の範囲のマンガンと、不可避的不純物とを含む鋳造用マグネシウム合金素材を形成し、前記鋳造用マグネシウム合金素材を鋳造して押出用マグネシウム合金素材を形成し、前記押出用マグネシウム合金素材を２５０〜５００℃の範囲の温度で、且つ押出比が３〜３０の範囲で押し出し、鍛造用マグネシウム素材を形成し、前記鍛造用マグネシウム素材を鍛造して成形され、
前記押出用マグネシウム合金素材は、樹脂状晶のデンドライトアーム間隔が０．５〜１５μｍの範囲であり、結晶粒径が２００μｍ以下の範囲であることを特徴とする圧縮機能部材。
【請求項５】
前記鍛造用マグネシウム素材は、結晶粒径が１０μｍ以下の範囲であることを特徴とする請求項４に記載の圧縮機能部材。
【請求項６】
前記鍛造用マグネシウム素材は、前記鍛造用マグネシウム素材及び前記鍛造用マグネシウム素材の金型が２５０〜５００℃の範囲の温度で鍛造されていることを特徴とする請求項５に記載の圧縮機能部材。
【発明の詳細な説明】
【技術分野】
【０００１】
本発明は、圧縮機能部材及びその製造方法に関する。
【背景技術】
【０００２】
この種の圧縮機能部材としては、例えばスクロール圧縮機に使用されるスクロールがあり、このスクロールは、端板の基面に可動渦巻体が立設された可動スクロール、及び端板の基面に固定渦巻体が立設された固定スクロールであり、これら可動及び固定渦巻体が噛合うことによりスクロール圧縮機のスクロールユニットを構成している。
そして、特許文献１には、可動スクロールをマグネシウム（Ｍｇ）合金で形成したスクロール型流体機械が開示されている。
【０００３】
また、特許文献２及び３には、ガドリニウム（Ｇｄ）やイットリウム（Ｙ）などの希土類金属を添加したマグネシウム合金鍛造部材の製造方法が開示されている。
【先行技術文献】
【特許文献】
【０００４】
【特許文献１】特開２０１１−２７０６２号公報
【特許文献２】特開２０１１−４２８６４号公報
【特許文献３】特開２０１０−１４９１３６号公報
【発明の概要】
【発明が解決しようとする課題】
【０００５】
マグネシウム合金製のスクロールは、アルミニウム（Ａｌ）合金製のものに比して最大３０％程度の軽量化を図ることができる。しかし、マグネシウム合金製スクロールをアルミニウム合金製スクロールと同様の鍛造工法により製造しようとすると、鍛造用マグネシウム合金素材は鍛造用アルミニウム合金素材に比して機械的強度が低いため、スクロールの特に渦巻体の機械的強度を満たすのは困難である。
【０００６】
具体的には、鍛造用マグネシウム合金素材として、ＡＺ３１材、ＡＺ８０材、ＡＺ９１材などのマグネシウム、アルミニウム、亜鉛（Ｚｎ）を主組成とする素材が周知であるが、これらの中でも比較的機械的強度が高いＡＺ８０材であっても、０．２％耐力の引張応力は２５０ＭＰａ程度であり、これではスクロールの機械的強度を十分に満たすことはできない。
【０００７】
そこで、特許文献２及び３に記載のように、希土類金属を添加することで鍛造用マグネシウム合金素材の機械的強度の向上を図ることも考えられる。しかし、希土類金属は素材が高価な割に０．２％耐力の引張応力も３００ＭＰａ程度までしか高めることができないため、汎用品に適用するには実用性に乏しい。
本発明は、このような課題に鑑みてなされたもので、軽量且つ廉価で機械的強度が高い圧縮機能部材及びその製造方法を提供することを目的とする。
【課題を解決するための手段】
【０００８】
上記の目的を達成するべく、本発明の圧縮機能部材の製造方法は、全量に対し、質量％で、０．２〜１５％の範囲のアルミニウムと、０．３〜１０％の範囲のカルシウムと、０．０５〜１．５％の範囲のマンガンと、不可避的不純物とを含む鋳造用マグネシウム合金素材を形成する合金形成工程と、前記鋳造用マグネシウム合金素材を鋳造して押出用マグネシウム合金素材を形成する鋳造工程と、前記押出用マグネシウム合金素材を２５０〜５００℃の範囲の温度で、且つ押出比が３〜３０の範囲の押し出し加工を施して、鍛造用マグネシウム素材を形成する押出工程と、前記鍛造用マグネシウム素材を鍛造して圧縮機能部材を成形する鍛造工程とを備え、前記押出用マグネシウム合金素材は、樹脂状晶のデンドライトアーム間隔が０．５〜１５μｍの範囲であり、結晶粒径が２００μｍ以下の範囲である（請求項１）。
【０００９】
好ましくは、前記鍛造用マグネシウム素材は、結晶粒径が１０μｍ以下の範囲である（請求項２）。
【００１０】
好ましくは、前記鍛造工程における鍛造は、前記鍛造用マグネシウム素材及び前記鍛造用マグネシウム素材の金型が２５０〜５００℃の範囲の温度で行われる（請求項３）。
また、本発明の圧縮機能部材は、全量に対し、質量％で、０．２〜１５％の範囲のアルミニウムと、０．３〜１０％の範囲のカルシウムと、０．０５〜１．５％の範囲のマンガンと、不可避的不純物とを含む鋳造用マグネシウム合金素材を形成し、前記鋳造用マグネシウム合金素材を鋳造して押出用マグネシウム合金素材を形成し、前記押出用マグネシウム合金素材を２５０〜５００℃の範囲の温度で、且つ押出比が３〜３０の範囲で押し出し、鍛造用マグネシウム素材を形成し、前記鍛造用マグネシウム素材を鍛造して成形され、前記押出用マグネシウム合金素材は、樹脂状晶のデンドライトアーム間隔が０．５〜１５μｍの範囲であり、結晶粒径が２００μｍ以下の範囲である（請求項４）。
【００１１】
好ましくは、前記鍛造用マグネシウム素材は、結晶粒径が１０μｍ以下の範囲である（請求項５）。
【００１２】
好ましくは、前記鍛造用マグネシウム素材は、前記鍛造用マグネシウム素材及び前記鍛造用マグネシウム素材の金型が２５０〜５００℃の範囲の温度で鍛造されている（請求項６）。
【発明の効果】
【００１３】
本発明の圧縮機能部材及びその製造方法によれば、高価な希土類金属を添加しないマグネシウム合金製であっても、０．２％耐力の引張応力をアルミニウム合金製スクロールよりも高い３５０ＭＰａ以上まで高めることができ、軽量且つ廉価で機械的強度が高い圧縮機能部材を製造することができる。
【図面の簡単な説明】
【００１４】
【図１】本発明の一実施形態に係るスクロール圧縮機の縦断面図である。
【図２】図１のスクロールの製造工程を示したフローチャートである。
【図３】図１のスクロールを従来のアルミニウム合金製スクロールと比較した応力ひずみ線図である。
【発明を実施するための形態】
【００１５】
図１は本発明の一実施形態に係るスクロール圧縮機１を示す。この圧縮機１は例えば車両の空調装置を構成する冷凍回路に組み込まれ、冷凍回路を循環する冷媒の圧縮に使用される。
圧縮機１はリアハウジング２及びフロントハウジング４を備え、リアハウジング２とフロントハウジング４との間にはスクロールユニット６が挟持されている。スクロールユニット６はリアハウジング２に固定された固定スクロール（圧縮機能部材）８と、固定スクロール８に対して噛み合うように組付けられた可動スクロール（圧縮機能部材）１０とからなる。
【００１６】
固定スクロール８に対する可動スクロール１０の公転旋回運動により、圧縮機１はスクロールユニット６において冷媒の吸入から圧縮を経て吐出までの一連のプロセスを連続して実行する。
詳しくは、固定スクロール８の端板１２には一体成形された固定渦巻体１４が立設され、可動スクロール１０の端板１６には一体成形された可動渦巻体１８が立設されている。固定及び可動渦巻体１４，１８の内外面はその中央端部を除き所定のインボリュート曲面から形成され、固定渦巻体１４の中央端部近傍には冷媒の吐出孔２０が穿孔されている。
【００１７】
固定及び可動渦巻体１４，１８の立設方向の端部にはそれぞれチップシール２２が設けられ、固定スクロール８に対する可動スクロール１０の公転旋回運動に伴い、固定渦巻体１４と可動スクロール１０の端板１６、及び、可動渦巻体１８と固定スクロール８の端板１２とは、それぞれ上記チップシール２２を介して互いに摺接される。固定及び可動スクロール８，１０間での上記摺接により、フロントハウジング４に形成された図示しない吸入ポートから導入された冷媒がスクロールユニット６内に吸入され、固定及び可動渦巻体１４，１８が互いに噛み合った状態で固定及び可動スクロール８，１０が協働することにより、固定及び可動渦巻体１４，１８間には潤滑油を含む冷媒ガスの圧縮室２４が区画して形成され、上述した一連のプロセスが連続して実行される。
【００１８】
以下、本実施形態の固定スクロール６及び可動スクロール１０の双方又は何れか一方をスクロール（圧縮機能部材）３０と総称し、図２のフローチャートを参照して、このスクロール３０の製造工程について説明する。
＜合金形成工程：Ｓ１＞
スクロール３０の製造が開始されると、ステップＳ１の合金形成工程においてスクロール３０の材料として、先ず鋳造用マグネシウム合金素材３２のインゴットを形成する。鋳造用マグネシウム合金素材３２は、全量に対し、質量％で、０．２〜１５％の範囲のアルミニウムＡｌと、０．３〜１０％の範囲のカルシウムＣａと、０．０５〜１．５％の範囲のマンガンＭｎと、不可避的不純物とを含む。
【００１９】
＜鋳造工程：Ｓ２＞
次に、ステップＳ２の鋳造工程では、鋳造用マグネシウム合金素材３２を鋳造して押出用マグネシウム合金素材３４を形成する。押出用マグネシウム合金素材３４は、樹脂状晶のデンドライトアーム間隔が０．５〜１５μｍの範囲であり、結晶粒径が２００μｍ以下の範囲である。このように樹脂状晶のデンドライトアーム間隔を０．５〜１５μｍの範囲にした押出用マグネシウム合金素材３４を後述する鍛造用マグネシウム合金素材３６として使用することにより、鍛造時における素材割れの抑制や加工温度の低温化等といった鍛造加工性を大幅に向上可能である。
【００２０】
＜押出工程：Ｓ３＞
次に、ステップＳ３の押出工程では、押出用マグネシウム合金素材３４を２５０〜５００℃の範囲の温度で、且つ押出比が３〜３０の範囲の押し出し加工を施し、棒状の鍛造用マグネシウム素材３６を形成する。鍛造用マグネシウム合金素材３６は、結晶粒径が１０μｍ以下の範囲である。なお、押出比とは押出加工後の素材の断面積Ａを押出加工前の素材の断面積Ｂで除した比率（Ａ／Ｂ）である。また、鍛造用マグネシウム合金素材３６の試料の任意の３箇所における結晶粒径をＳＥＭ（Scanning Electron Microscope：走査型電子顕微鏡）又は後方散乱電子回析像を用いた結晶方位解析法（ＳＥＭ／ＥＢＳＰ法）（ＥＢＳＰ：Electron Backscattered Diffraction pattern：電子線後方散乱回析法）により１０回程度測定した平均は、２．７７μｍ、２．５５μｍ、２．０８μｍであった。
【００２１】
＜鍛造工程：Ｓ４＞
次に、ステップＳ４の鍛造工程では、鍛造用マグネシウム合金素材３６を鍛造してスクロール３０の端板及び渦巻体を成形し、スクロール３０の製造が終了する。当該鍛造工程における鍛造は、鍛造用マグネシウム合金素材３６及び鍛造用マグネシウム合金素材３６の図示しない金型が２５０〜５００℃の範囲の温度で行われる。なお、このときの最適温度範囲は２５０〜３５０℃であることが判明している。
【００２２】
図３は上述した工程で製造したマグネシウム合金製のスクロール３０と、従来のアルミニウム合金製スクロールとの同位置から同寸法の引張試験片をそれぞれ採取し、各引張試験片に対してそれぞれ行った引張試験の結果を示した応力ひずみ線図であり、本実施形態のスクロール３０の線図はＸで示し、アルミニウム合金製スクロールの線図はＹで示す。この図から明らかなように、スクロール３０は、０．２％耐力の引張応力がアルミニウム合金製スクロールよりも高い３５０ＭＰａ以上となり、スクロール３０のひずみが塑性域に入った以降もアルミニウム合金製スクロールと同等かそれ以上の引張強度を有していることがわかる。
【００２３】
以上のように本実施形態のスクロール３０の製造方法では、ガドリニウムＧｄやイットリウムＹなどの高価な希土類金属を添加しなくとも、スクロール３０の０．２％耐力の引張応力をアルミニウム合金製スクロールよりも高い３５０ＭＰａ以上まで高めることができ、スクロール３０のひずみが塑性域に入った以降もアルミニウム合金製スクロールと同等かそれ以上の引張強度を得ることができる。従って、軽量且つ廉価で機械的強度が高いスクロール３０を製造することができる。
【００２４】
本発明は、上述の実施形態に制約されるものではなく種々の変形が可能である。
例えば、上記実施形態では、ステップＳ４の鍛造工程で成形されたスクロール３０に容体化処理及び人工時効処理を施しても良い。この場合には、熱処理によりスクロール３９のひずみが除去されてスクロール３０の機械的強度を更に高めることができる。
また、上記実施形態のスクロール３０の製造方法は固定スクロール８及び可動スクロール１０の双方又は何れか一方に適用可能である。
【００２５】
最後に、本発明は、臨界領域で作動する超高圧のＣＯ２冷媒を用いた冷凍回路に組み込まれた圧縮機のスクロール製造に適用するのが好ましく、また、スクロール圧縮機１のスクロール３０のみならず、スクロール膨張機などのスクロール型流体機械全般に適用でき、更にはスクロール型流体機械に限らずピストンアセンブリなどの他の圧縮機能部材にも適用できるのは勿論である。
【符号の説明】
【００２６】
８    固定スクロール（圧縮機能部材）
１０    可動スクロール（圧縮機能部材）
３０    スクロール（圧縮機能部材）
３２    鋳造用マグネシウム合金素材
３４    押出用マグネシウム合金素材
３６    鍛造用マグネシウム素材
【図１】
0006013755.tif 000002
【図２】
0006013755.tif 000003
【図３】
0006013755.tif 000004